(57)【要約】  【課題】構造が簡単で容易に製造でき、軽量であってしかもたわみ難く、苗の生育に極めて有効なポット収納トレーを提供すること。  【解決手段】外枠３内をリブ１１ａ，１１ｂにて複数の区画部１１に区画され、各区画部１１が交差する角部分１２に隅角が形成されており、前記リブ１１ａ，１１ｂの交差部分に隅角から支持脚１３を延設すると共に底枠１４の周縁を支持脚１２に連結して凹状の育苗ポット収納部１０を連設してなるポット収納トレー１であって、角部分１２の複数箇所に通気用の通気口１５を有し、通気口１５を備えた角部分１２の裏面側に通気口１５を囲撓するとともに角部分１２から延設した支持脚１３に連結された補強リブ１７が形設されているところに構成特徴があるものと、通気口１５を備えた角部分１２の表面側に、通気口１５を取り囲む連続もしくは不連続なズレ防止突起が形設されているところに構成特徴があるものがある。  【選択図】  図２
2005124519.tif 000002
【特許請求の範囲】
【請求項１】
外枠内に縦リブと横リブにて複数個の区画部に区画し、各区画部が交差する角部分に漸次切欠した区画部の隅角が形成され、前記縦リブと横リブの交差部分に各隅角から下方に向けて傾斜させた支持脚を延設すると共に、底枠の周縁を支持脚に連結して凹状の育苗ポットを収納する育苗ポット収納部を連設該してなるポット収納トレーにおいて、
前記角部分の複数箇所に通気用の通気口を有し、
該通気口を備えた角部分の裏面側に、前記通気口を囲撓するとともに前記角部分から延設した隣接する支持脚のそれぞれに連結された補強リブが形設されていることを特徴とするポット収納トレー。
【請求項２】
外枠内に縦リブと横リブにて複数個の区画部に区画し、各区画部が交差する角部分に漸次切欠した区画部の隅角が形成され、前記縦リブと横リブの交差部分に各隅角から下方に向けて傾斜させた支持脚を延設すると共に、底枠の周縁を支持脚に連結して凹状の育苗ポットを収納する育苗ポット収納部を連設してなるポット収納トレーにおいて、
前記角部分の複数箇所に通気用の通気口を有し、
該通気口を備えた角部分の表面側に、前記通気口を取り囲む連続もしくは不連続なズレ防止突起が形設されていることを特徴とするポット収納トレー。
【請求項３】
前記ポット収納トレーにおいて、
前記通気口を取り囲む連続もしくは不連続なズレ防止突起が別体のズレ防止突起部材として形成されており、前記ポット収納トレーに着脱自在に取着されることを特徴とする請求項２記載のポット収納トレー。
【請求項４】
前記ポット収納トレーにおいて、
前記縦リブおよび横リブの中央部分に、上方に開放する溝が形成されていることを特徴とする請求項１〜３のいずれかに記載のポット収納トレー。
【発明の詳細な説明】
【技術分野】
【０００１】
本発明は、軽量でたわみ難く、苗の生育に極めて有効なポット収納トレーに関する。
【背景技術】
【０００２】
一般に、野菜や花卉等の植物苗を育苗には、ポリエチレンまたはポリプロピレン等の軟質合成樹脂製ポットが汎用されている、苗の栽培のみならず、ポットごとの運搬や店頭における展示販売を効率的に行えるように、所定の収納容器に整列して収容していることが通例である。
【０００３】
従来のかかる収納容器としては、外枠内に縦リブと横リブにて複数個の区画部に区画し、各区画部が交差する角部分を切欠した区画部の隅角が形成されており、隅角から下方に向けて傾斜させた支持脚を垂設すると共に、底枠部の隅角を支持脚の下端に連結して育苗ポット収納部を連設したものが提案されている（特許文献１）。
【０００４】
また、外枠の中をリブにて区画して複数の開口部を形成し、該開口部が交差する部分とは異なる周縁から下方に向けて支持脚が延設しその支持脚の下端に底枠を設け、前記開口部が交差する部分に通気用の通気口を備えたものが開示されており（特許文献２）、また、溝部を備えたリブにて外枠の中を区画して複数の開口部を形成し、開口部が交差する角部分ではなく該溝部の下方から延設された支持脚の下端に底枠を連結したものも提案されている（特許文献３：特開平号公報）。
【０００５】
【特許文献１】実開平１−１０１３２７号、（実用新案請求の範囲の第１項）
【特許文献２】登録実用新案第３０１７１２１号公報、（実用新案請求の範囲、請求項１）
【特許文献３】特開平７−３１２８８号公報、図２
【発明の開示】
【発明が解決しようとする課題】
【０００６】
しかしながら、従来の収納容器はいずれも、多量の原材樹脂を使用してその強度を保持するようになっているために、全体が重厚であり、製造ならびに物流コスト的に不利であった。
【０００７】
特に、上記特許文献２記載の収納容器にあっては、特には、開口部が交差する部分に通気用の通気口が形成されているために強度不足になり易くまた、中央部分が下方へたわんで全体が反り返って積み重ね難く作業時の取扱性に問題があった。
【０００８】
また、特許文献３記載の収納容器にあっては、溝部の下方から延設された支持脚の下端に底枠が連結されているとはいえ、リブの強度不足になって破損しやすいという問題があった。
【０００９】
本発明は、上記の問題に鑑みてなされたものであり、その目的とするところは、構造が簡単で容易に製造でき、軽量でたわみ難く、苗の生育に極めて有効なポット収納トレーを提供するにある。
【課題を解決するための手段】
【００１０】
この課題を解決するために本発明が採用した手段は、請求項１の発明は、「外枠内に縦リブと横リブにて複数個の区画部に区画し、各区画部が交差する角部分に漸次切欠した区画部の隅角が形成され、前記縦リブと横リブの交差部分に各隅角から下方に向けて傾斜させた支持脚を延設すると共に、底枠の周縁を支持脚に連結して凹状の育苗ポットを収納する育苗ポット収納部を連設該してなるポット収納トレーにおいて、
前記角部分の複数箇所に通気用の通気口を有し、
該通気口を備えた角部分の裏面側に、前記通気口を囲撓するとともに前記角部分から延設した隣接する支持脚のそれぞれに連結された補強リブが形設されている」ものを、その要旨とする。
【００１１】
請求項１の発明に係る収納トレーによると、区画部が交差する角部分に通気用の通気口が穿設されているから、植物の枝葉が密集しても、充分な通気性を確保できる。
【００１２】
また、通気口を囲撓するとともに前記角部分から延設した隣接する支持脚のそれぞれに連結させた補強リブが形設されているため、原材量を削減させても充分な機械的強度を保持できる。すなわち、ポット収納トレー全体が肉薄に形成されていても下方にたわんで全体が反り返ることがなく、その複数個を安定して積み重ねできる。
【００１３】
つぎに、請求項２の発明は、「外枠内に縦リブと横リブにて複数個の区画部に区画し、各区画部が交差する角部分に漸次切欠した区画部の隅角が形成され、前記縦リブと横リブの交差部分に各隅角から下方に向けて傾斜させた支持脚を延設すると共に、底枠の周縁を支持脚に連結して凹状の育苗ポットを収納する育苗ポット収納部を連設してなるポット収納トレーにおいて、
前記角部分の複数箇所に通気用の通気口を有し、
該通気口を備えた角部分の表面側に、前記通気口を取り囲む連続もしくは不連続なズレ防止突起が形設されている」ものを、その要旨とする。
【００１４】
請求項２の発明に係るポット収納トレーによると、特には、区画部が交差する角部分に通気用の通気口が穿設されているから、植物の枝葉が密集しても、充分な通気性を確保できる。また、区画部が交差する角部分の表面側に、前記通気口を取り囲む連続もしくは不連続なズレ防止突起が形設されているため、その複数個を横ズレすることなく安定して積み重ねできる。
【００１５】
つぎに、請求項３の発明は、請求項２記載のポット収納トレーにおいて、前記通気口を取り囲む連続もしくは不連続なズレ防止突起が別体のズレ防止突起部材として形成されており、前記ポット収納トレーに着脱自在に取着されるものを、その要旨とする。
【００１６】
請求項３の発明に係るポット収納トレーによると、請求項２記載のポット収納トレーで得られる作用効果に加えて、特には、区画部が交差する角部分に通気用の通気口が穿設されているから、植物の枝葉が密集しても通気性を充分確保できる。
【００１７】
つぎに、請求項４の発明は、請求項１〜３のいずれかに記載のポット収納トレーにおいて、前記縦リブおよび横リブの中央部分に、上方に開放する溝が形成されているものを、その要旨とする。
【００１８】
このポット収納トレーによると、隣合うポット収納トレーの上部を当接させながらポット収納トレーから取出しできる。
【発明の効果】
【００１９】
本発明に係るポット収納トレーによると、特殊な金型を使用するものではないから汎用の例えば射出成型機にて容易かつ大量に製造でき、廉価に提供できる。
【００２０】
特に、請求項１の発明に係るポット収納トレーは、原樹脂量を削減してポット収納トレー全体が軽量化することができ、製造ならびに物流コスト的に有利である。また、ポット収納トレーがたわんで全体が反り返らないため、繰り返し使用という観点及び作業時の取扱性という観点において、従来の肉厚なポット収納トレーと対比しても何ら遜色しないという優れた作用効果が得られる。
【００２１】
また、区画部が交差する角部分に通気用の通気口が穿設されているから、植物の枝葉が密集しても充分な通気性を確保でき、苗の生育に極めて有利である。
【００２２】
つぎに、請求項２の発明に係るポット収納トレーによると、ズレ防止突起を有しその複数個を横ズレすることがなく安定して積み重ねでるから、保管、搬送スペースの低減は無論、作業を短時間で効率よく実施できる。
【００２３】
また、区画部が交差する角部分に通気用の通気口が穿設されているから、植物の枝葉が密集しても充分な通気性を確保でき、苗の生育に極めて有利である。
【００２４】
なお、請求項１の発明に係るポット収納トレーにおいて、さらに、通気口を備えた角部分の表面側に、前記通気口を取り囲む連続もしくは不連続なズレ防止突起が形設されていると、請求項１の発明と請求項２の発明のそれぞれが奏する上記作用効果の両方が相加することは無論のことである。
【００２５】
請求項３の発明に係るポット収納トレーによると、通気口に別体のズレ防止突起部材を着脱自在に取着するように構成されているから、請求項２の発明と実質同一の作用効果を奏する。なお、上述した例えば特許文献２に記載のポット収納トレーを援用できることは無論である。
【００２６】
請求項４の発明に係るポット収納トレーによると、請求項１〜３記載のそれぞれのポット収納トレーが奏する作用効果に加えて、隣合うポット収納トレーの上部を当接させることができるため、ポット収納トレーの取出し作業を短時間で効率よく実施できる。
【発明を実施するための最良の形態】
【００２７】
本発明の実施の形態を、その代表的な実施例に基づいて説明するが、本発明の要旨を越えない範囲内で様々な設計変更が可能である。
【００２８】
本発明に係るポット収納トレーは合成樹脂製であり、所定形状に型成形できる金型を装着した成型機を使用して一体形成されている。ただし、合成樹脂原材を特に限定するものではないが、成型し易さやコストなどの観点からは、ポリエチレン（ＰＥ）、ポリプロピレン（ＰＰ）、ポリスチレン（ＰＳ）等の熱可塑性合成樹脂を素材として使用し成形されていることが好ましく、地球環境汚染防止の観点からは、ポリ乳酸やカプロラクトン等に代表される生分解性樹脂を素材として使用し成形されていることが好ましく、また、熱硬化性樹脂製であっても構わない。
【００２９】
図１は第１実施例のポット収納トレー１の概略斜視図であり、図２（ａ）は同収納トレー１の平面図であり、図２（ｂ）は図２（ａ）の Ａ−Ｂ部分拡大図である。図３は図２（ｂ）のＥ−Ｅ線に沿った要部部分断面図である。図４（ａ）は同収納トレー１の底面図であり、図４（ｂ）は図４（ａ）の Ｃ−Ｄ部分拡大図である。図５は同収納トレー１の正面図である。
【００３０】
図において、本ポット収納トレー１はポリプロピレン（ＰＰ）樹脂を射出成形して一体形成されたものであり、外枠３内に、中央部分が上方に開放する溝７を有する縦リブ１１ａ及び横リブ１１ｂにて複数個の略方形の区画部１１に区画し、各区画部１０が交差する角部分１２に漸次切欠した区画部１０の隅角が形成されており、前記縦リブ１１ａと横リブ１１ｂの交差部分に隅角から下方に向けて傾斜させた支持脚１３を延設すると共に、底枠１４の周縁を支持脚１３に連結して凹状の育苗ポット収納部１０（縦方向に４個、横方向に６個、合計２４個）が連設されている。なお、育苗ポット収納部１０の数量や寸法形状などは、収容される育苗ポットの数量や寸法形状によって決定される事項であるから、これに対応すべく適宜設計変更されること無論である。
【００３１】
前記角部分１２のうちの複数箇所には通気用の通気口１５が穿設されており、該通気口１５を備えた角部分１２の表面側には通気口１５を囲撓するズレ防止突起１６（高さ２．５ｍｍ程度）が形設されており、その複数個を積み重ねしても横ズレ防止できるようになっている。ただし、ズレ防止突起１６は、通気口を取り囲み横ズレ防止できるものであればよく、例えば不連続に形成するとかリング形状にするなど、その寸法や全体形状などは適宜設計変更可能な事項とする。
【００３２】
また、通気口１５を備えた角部分１２の裏面側には、通気口１５を囲撓するとともに隣接する支持脚１３に先端部を連結せしめた井形形状の補強リブ１７が形設されている。ただし、この補強リブ１７は、通気口１５を取り囲みかつ隣接する支持脚１３にその先端部分が連結され、ポット収納トレー１のたわみを防止できるものであれば良く、その全体形状、寸法形状などは適宜設計変更可能な事項とする。例えば全体形状が略リング形状のもの（図６参照）等が例示できる。
【００３３】
外枠３、縦リブ１１ａ及び横リブ１１ｂはいずれも断面形状が逆Ｖ字形状であり、その内側上端部には適宜間隔に配した外枠補強材３’、縦リブ補強材１１ａ’及び横リブ補強材１１ｂ’が配されており、これにより、外枠３、縦リブ１１ａ及び横リブ１１ｂの各強度が補強されている。
【００３４】
つぎに、図７は、第２実施例のポット収納トレー１’の概略的に示す要部分解斜視図である。
【００３５】
図において、このポット収納トレー１’は、通気口１５’を囲撓するズレ防止突起１６’（高さ２．５ｍｍ程度）を有する別体のズレ防止突起部材５として形成されており、通気用の通気口１５’を穿設した角部分１２’に対してその全体を覆うように着脱自在に外衣される点を除き、他の構成は第１実施例のポット収納トレー１と同一である。従って、第１実施例のポット収納トレー１と実質同一の作用効果を奏する。
【実施例】
【００３６】
先ず、従来より汎用されている収納容器（特許文献１に記載のもの：総重量、３６０ｇ）と同一の寸法形状を有し（縦方向に４個の育苗ポット収納部を有し、横方向に６個の育苗ポット収納部を有するものを、ポリエチレン樹脂を原材に使用して型成形した（総重量、２６０ｇ）。
【００３７】
その結果、従来の収納容器より樹脂量を約１００ｇ削減しても、全体がたわんで反り返ることがなく、従来の収納容器と何ら遜色のないものであることが解った。
【００３８】
また、各育苗ポット収納部にそれぞれ育苗ポットを収容しても、少なくともその１０個以上を横ズレすることなく積み重ねできたことから、保管、搬送スペースの低減は無論、作業を短時間で効率よく実施できるなど、極めて実効性に優れた作用効果を奏することも解った。
【図面の簡単な説明】
【００３９】
【図１】図１は第１実施例のポット収納トレーの概略斜視図である。
【図２】図２（ａ）は同収納トレーの平面図であり、図２（ｂ）は図２（ａ）の Ａ−Ｂ部分拡大図である。
【図３】図３は図２（ｂ）のＥ−Ｅ線に沿った要部部分断面図である。
【図４】図４（ａ）は同収納トレーの底面図であり、図４（ｂ）は図４（ａ）の Ｃ−Ｄ部分拡大図である。
【図５】図５は同収納トレーの正面図である。
【図６】図６は他の補強リブの実施態様を示す要部底面図である。図４（ｂ）に対応する。
【図７】図７は第２実施例のポット収納トレー１を概略的に示す要部分解斜視図である。
【符号の説明】
【００４０】
１  …  第１実施例のポット収納トレー
１’…  第２実施例のポット収納トレー
３  …  外枠
３’…  外枠補強材
５  …  ズレ防止突起部材
１０  …  区画部
１１  …  区画室
１１ａ…  縦リブ
１１ａ’…縦リブ補強材
１１ｂ…  横リブ
１１ｂ’…横リブ補強材
１２  …  角部分
１２’…  角部分
１３  …  支持脚
１４  …  底枠
１５  …  通気口
１５’…  通気口
１６  …  ズレ防止突起
１６’…  ズレ防止突起
１７  …  補強リブ
【図１】
2005124519.tif 000003
【図２】
2005124519.tif 000004
【図３】
2005124519.tif 000005
【図４】
2005124519.tif 000006
【図５】
2005124519.tif 000007
【図６】
2005124519.tif 000008
【図７】
2005124519.tif 000009